(57)【要約】【課題】  建築物の強度を高め、耐震性を向上するとともに、防音性も良好にできるような、建築構造及び耐力パネルの提供。【解決手段】  外周部を囲む枠体１４と、該枠体１４の内側に張られた棒状の支持材１５，１６…，１７…と、上記枠体１４の内側であって枠体１４の厚み方向中間部に張られた板状の芯材１８，１８とを有する耐力パネル１１を設け、該耐力パネル１１を、建築物における上下方向に離間配置された横架材２２，２４，３４，３６間に嵌め込んだ建築構造。【選択図】    図３
2005299133.tif 000002
【特許請求の範囲】
【請求項１】
外周部を囲む枠体と、該枠体の内側に張られた棒状の支持材と、上記枠体の内側であって枠体の厚み方向中間部に張られた板状の芯材とを有する耐力パネルを設け、
該耐力パネルを、建築物における上下方向に離間配置された横架材間に嵌め込んだ
建築構造。
【請求項２】
前記耐力パネルの両面に、板状の下地材が貼り付けられ、間仕切り壁及び／又は外部回り壁として用いられた
請求項１に記載の建築構造。
【請求項３】
前記上下方向に離間配置された横架材のうち、下側の横架材が、建築物の布基礎の上に設けられた土台である
請求項１又は請求項２に記載の建築構造。
【請求項４】
外周部を囲む枠体と、該枠体の内側に張られた棒状の支持材と、上記枠体の内側であって枠体の厚み方向中間部に張られた板状の芯材とを有するとともに、
上記枠体の上端面と下端面とに、建築物における上下方向に離間配置された横架材の対向面に対して当接する当接面を形成した
耐力パネル。
【発明の詳細な説明】
【技術分野】
【０００１】
この発明は、例えば木造軸組住宅のような建築物の、建築構造及び耐力パネルに関する。
【背景技術】
【０００２】
木造軸組の建築物としては、下記特許文献１に開示されているような構造のものが知られている。
【０００３】
すなわち、図９を用いて説明すると、床組１０１と軸組１０２とを有する躯体１０３に、パネルを取付けて構成するものであって、上記床組１０１の上には床パネル１０４（荒床）を固定し、軸組１０２の柱材１０５間には外壁パネル１０６と間仕切りパネル１０７を固定したものである。
【０００４】
そして、上記間仕切りパネル１０７は、室内寸と同一の高さに形成され、床パネル１０４の上に建て込まれる。このため、建て込まれた間仕切りパネル１０７の上には天井板１０８が乗った構造となる。
【０００５】
このような構造であるので、間仕切りパネル１０７で仕切られた複数の部屋は、床パネル１０４と天井板１０８を共通にしている。また、床パネル１０４の下側の空間と天井板１０８の上側の空間は、それぞれ隣接する部屋のそれと連通している。
【０００６】
このため、間仕切りパネル１０７は軸組１０２として立設された柱材１０６間に建て込まれているにしても、その上下の両端は、床パネル１０４と天井板１０８に固定されているのであって、床組１０１や軸組１０２に固定されているのではない。このため、間仕切りパネル１０７では床組１０１や軸組１０２との結合性が弱く、間仕切りパネル１０７自体の強度を高めても、それを充分に生かすことができない。
【０００７】
また、床パネル１０４と天井板１０８は、隣接する複数の部屋のそれと共通であるため、一の部屋の床パネル１０４や天井板１０８に伝わる振動は、隣接する他の部屋のそれへと伝わる。また、図面に矢印で示したように、連通する空間を介しても、伝達される。このため、防音性の点でも改良の余地があった。
【０００８】
【特許文献１】特開２０００−２２０２１５号公報
【発明の開示】
【発明が解決しようとする課題】
【０００９】
そこでこの発明は、建築物の強度を高め、耐震性を向上するとともに、防音性も良好にすることを主たる課題とする。
【課題を解決するための手段】
【００１０】
そのための手段は、外周部を囲む枠体と、該枠体の内側に張られた棒状の支持材と、上記枠体の内側であって枠体の厚み方向中間部に張られた板状の芯材とを有する耐力パネルを設け、該耐力パネルを、建築物における上下方向に離間配置された横架材間に嵌め込んだ建築構造であることを特徴とする。
【００１１】
すなわち、枠体と支持材と芯材とを有する耐力パネルは、それ自体剛性が高く、耐力壁として使用できるパネルである上に、この耐力パネルが、土台や大引、梁や桁、胴差しなどの上下の横架材間に直接固定され、横架材等を支える役割を果たす。また、耐力パネルは、これによって仕切られた空間を、室内部分は勿論のこと、床下部分においても天井裏部分においても、独立させる。
【００１２】
上記耐力パネルの両面には、板状の下地材を貼り付け、間仕切り壁及び／又は外部回り壁として用いるとよい。下地材の存在により耐力パネルの剛性がより一層高められるとともに、外部回り壁として用いた場合には、内壁部材の固定作業を省略できる。
【００１３】
上記上下方向に離間配置された横架材のうち、下側の横架材が、建築物の布基礎の上に設けられた土台であると、耐力パネルで仕切られた空間をより完全に独立させることができる。
【００１４】
別の手段は、外周部を囲む枠体と、該枠体の内側に張られた棒状の支持材と、上記枠体の内側であって枠体の厚み方向中間部に張られた板状の芯材とを有するとともに、上記枠体の上端面と下端面とに、建築物における上下方向に離間配置された横架材の対向面に対して当接する当接面を形成した耐力パネルであることを特徴とする。
【００１５】
すなわち、枠体の上下両端の当接面が、横架材の対向面に当接した状態で固定でき、横架材に掛かる荷重を支えるとともに、横架材間を閉じる。
【発明の効果】
【００１６】
以上のように、この発明によれば、外周部を囲む枠体と、該枠体の内側に張られた棒状の支持材と、上記枠体の内側に張られた板状の芯材とを有する耐力パネルは、建築物における上下方向に離間配置された横架材間に嵌め込まれて固定される。
【００１７】
このため、耐力パネルは、空間を仕切るとともに、横架材を直接支える役割も果たす。しかも、枠体と支持材と芯材とを有する耐力パネルは、強度が高く、耐力壁を形成できるものである。
【００１８】
したがって、耐力パネルが高い強度を有するという特性を充分に生かして、建築物の強度を向上し、良好な耐震性を得ることができる。
【００１９】
また、耐力パネルは横架材間に固定され、耐力パネルで区切られた空間を床下部分でも天井裏部分でも独立させることができる。つまり、床板も天井板も、空間ごとに分割されるので、振動等が伝達され難い。また、床下部分や天井裏部分での空間を介しての、隣接する部屋間での振動等の伝達は、従来が床パネルや天井板のみのニ重であったのに対して、この発明では、それら床板や天井板で仕切られる上に耐力パネルでも仕切られるので、三重に仕切られることになり、振動等の伝達がされ難い。
【００２０】
このため、高い防音性が得られるとともに、万が一ある部屋で火災が発生した場合でも、そこで上がった火や火の粉が、隣接する部屋に移ることの防止も図れる。このため、耐力パネルは耐火壁としての役割も果たし、耐震性のほか、防音性、防火性も兼ね備えた、高機能の建築物を得られる。
【発明を実施するための最良の形態】
【００２１】
この発明を実施するための一形態を、以下図面を用いて説明する。  
図１は、耐力パネル１１の斜視図、図２はその分解斜視図であって、この耐力パネル１１は、建築物の間仕切り壁１２や外部回り壁１３として、図３〜図５に示したように使用される。
【００２２】
耐力パネル１１は、外周部を縦なが長方形に囲む４本の枠体１４と、この枠体１４の内側で上下方向に張られる棒状の縦支持材１５，１６…および左右方向に張られる棒状の横支持材１７…と、上記枠体１４の内側であって、枠体１４の厚み方向の中間部に張られる板状の芯材１８，１８とを有する。
【００２３】
上記枠体１４は、４本の角材１４ａ…を組んで形成される。
【００２４】
上記縦支持材１５，１６…のうち、耐力パネル１１の幅Ｗ方向中間位置の縦支持材１５は、枠体１４の厚みＴと同一の厚みに設定し、両側面の厚み方向中間位置に、上記芯材１８の端縁を差し込む凹溝１５ａを形成している。同様の凹溝１４ｂは、上記枠体１４を構成する角材１４ａ…の内側面にも形成している。
【００２５】
また、上記中間位置の縦支持材１５の両側に取付けられるその他の縦支持材１６…は、枠体１４の厚みＴから芯材１８の厚みを引いたのち半分にした厚みに設定し、上下両端を枠体１４に対して固定するとともに、芯材１８に対向する面を芯材１８の両面に対して固定する。
【００２６】
上記横支持材１７…は、上記両側位置の縦支持材１６…と同一の厚みに形成され、両端を枠体１４や縦支持材１５，１６…の側面に対して固定するとともに、芯材１８に対向する面を芯材１８の両面に対して固定する。
【００２７】
上記芯材１８，１８には、構造用合板を用いる。
【００２８】
図示例では、芯材１８を２枚使用する例を示したが、必要な耐力パネル１１の大きさによっては、１枚の芯材１８で構成するもよく、縦支持材１５，１６…や横支持材１７…の数も、図示例のものに限定されない。
【００２９】
なお、各部材同士の固定は、接着剤や釘等を用いる適宜の方法で行う。
【００３０】
また、この耐力パネル１１の幅Ｗは、建築物の躯体を構成する柱材間に嵌め込み可能な寸法に設定し、高さＨは、上下に離間配置される横架材間に嵌め込み可能な寸法に設定する。厚みＴは、得る壁面の態様、すなわち大壁構造か真壁構造かによって適宜設定する。
【００３１】
次に、このような構成の耐力パネル１１を用いて構成する建築構造について説明する。
【００３２】
耐力パネル１１は、その両面に対して、構造用合板からなる板状の下地材１９が貼り付けられる。貼り付けは、建て込みに先立って、あるいはその後でも行える。また内部には防音・断熱材２０が収納される。防音・断熱材２０は、方形板状に形成され、枠体１４と縦支持材１５，１６…と横支持材１７…とに囲まれた方形状の空間に、芯材１８に対して固定することで収納できる。防音・断熱材２０は、その厚みにもよるが、芯材１８の一側面に固定すれば足りる。
【００３３】
図３は、木造軸組住宅の間仕切り部分を示す断面図であり、この間仕切り部分は、床組２１をなす大引２２と、該大引２２の上方に配置される軸組２３の梁２４との間に、耐力パネル１１間仕切り壁１２として嵌め込まれて構成される。
【００３４】
このときの枠体１４の下端面が大引２２に対して当接する当接面１４ｃで、枠体１４の上端面が梁２４に対して当接する当接面１４ｄである。
【００３５】
この耐力パネル１１の嵌め込み前、あるいは後に、耐力パネル１１で仕切られたそれぞれの空間で、床及び天井を形成する。
【００３６】
図中２５は、大引の上に組まれた根太、２６は根太２５の上に固定された荒床、２７は荒床２６の上に固定されたフローリング、２８は、フローリングの隅部分に取付けられる幅木である。また、図中２９は、梁２４から垂設されて天井板３０を取付けるための吊木、３１は吊木２９の下端に固定され、天井板３０の上面に固定される野縁３２を受ける野縁受けである。
【００３７】
図示した構造は、耐力パネル１１で仕切られた両側の部屋を共に大壁構造にした場合の例であって、この場合、図６の横断面図に示したように、枠体１４の厚みＴを柱材３３の厚みと同一に設定し、両面に貼り付ける下地材１９は、高さは耐力パネル１１の高さＨと同一に設定する一方で、幅方向の長さを、耐力パネル１１の幅Ｗ寸法よりも大に設定する。
【００３８】
一方の部屋を大壁構造、他方の部屋を真壁構造にする場合には、図７に示したように、大壁構造にする側の下地材１９を、図６に示した下地材１９と同様に形成する一方、真壁構造にする側の下地材１９を、耐力パネル１１の大きさと同一の大きさに形成する。そして、枠体１４の厚みＴを柱材３３の厚みよりも若干小さく設定する。
【００３９】
また、両側の部屋を真壁構造にする場合には、枠体１４材の厚みＴを、図７に示した場合よりもさらに小さく設定し、両側に貼り付ける下地材１９の大きさを、耐力パネル１１の大きさと同一の大きさに設定する。防音・断熱材２０は、枠体１４の厚みを薄く設定したため、図６、図７に示した耐力パネル１１とは異なり、内部空間が狭くなるので、図６、図７の場合よりも薄い防音・断熱材２０を芯材１８の両面に固定している。
【００４０】
両側を大壁構造にする場合、一方を真壁構造にする場合、両方を真壁構造にする場合があるが、図４では両側を大壁構造にする場合の例を示す。図５では、真壁構造にする場合の例を示す。
【００４１】
図４は、木造軸組住宅の間仕切り部分を示す他の断面図であり、この間仕切り部分は、床組２１をなす土台３４と、該土台３４の上方に配置される軸組２３の梁２４との間に、耐力パネル１１が間仕切り壁１２として嵌め込まれて構成される。
【００４２】
この耐力パネル１１の嵌め込み前、あるいは後に、耐力パネル１１で仕切られたそれぞれの空間で、床及び天井を形成する。
【００４３】
図中３５は、布基礎で、２２は、土台３４間に掛け渡された大引である。その他、上記構成と同一の部位については、それと同一の符号を付してその詳しい説明を省略する。
【００４４】
図５は、木造軸組住宅の外部回り壁１３部分を示す他の断面図であり、この外部回り壁１３部分は、床組２１をなす土台３４と、該土台３４の上方に配置される軸組２３の胴差し３６との間に、耐力パネル１１が外部回り壁１３として嵌め込まれて構成される。
【００４５】
この建築パネル１１の嵌め込み前、あるいは後に、耐力パネル１１で仕切られたそれぞれの空間で、床及び天井を形成する。
【００４６】
図中３７は、床部の隅に設けた畳寄せ、３８は畳であって、３９は竿縁である。ここでも、上記構成と同一の部位については、それと同一の符号を付してその詳しい説明を省略する。
【００４７】
このように構成した建築構造では、枠体１４と、縦支持材１５，１６…及び横支持材１７…と、芯材１８，１８とを有する耐力パネル１１は、空間を仕切るとともに、大引２２や土台３４、梁２４や胴差し３６、及び柱材３４とに囲まれた空間に嵌め込まれることで、これら躯体の構成部分の位置関係を強固に保つ。すなわち躯体を支える。しかも、枠体１４と、縦支持材１５，１６…及び横支持材１７…と、芯材１８，１８とを有する耐力パネル１１は、強度が高く、耐力壁を形成できるものである。
【００４８】
したがって、建築物の強度は向上し、良好な耐震性を得ることができるようになる。
【００４９】
また、耐力パネル１１は、大引２２や土台３４、梁２４や胴差し３６などの横架材間に嵌め込んだ状態で固定されるので、耐力パネル１１で仕切られるそれぞれの空間で独立して床や天井を形成する構造になる。すなわち、床も天井も独立しているので、一方の部屋の振動は他方の部屋へは伝達され難い。また、床下や天井裏の空間を介しての伝達も、床や天井の面よりも下へあるいは上に突出した、耐力パネル１１の下端部と上端部で分割されるので、耐力パネル１１で区切られた空間を床下でも天井裏でも独立させることができる。つまり、床下や天井裏での空間を介しての振動等の伝達も抑えることができる。
【００５０】
このため、高い防音性が得られるとともに、万が一ある部屋で火災が発生した場合でも、そこで上がった火や火の粉が、隣接する部屋に移ることの防止も図れる。このため、耐力パネル１１は耐火壁としての役割も果たし、耐震性のほか、防音性、防火性も兼ね備えた、高機能の建築物を得られる。
【００５１】
図４に示した建築構造のように、間仕切り壁１２を布基礎３５上の土台３４と梁２４との間に耐力パネル１１を嵌め込んで構成すると、床下部分を、床の近傍のみではなく、その下側全体において、部屋に対応して区切ることが出来るので、各部屋の独立性をより一層高めることができ、上記防音・防火等の効果をより良好なものとすることが可能となる。
【００５２】
また、図５に示した建築構造のように、外部回り壁１３に上記耐力パネル１１を使用すると、耐力パネル１１の高強度ゆえに、外部回り壁１３の強度を高めることが出来るとともに、内壁部材の固定作業を省略できる。
【００５３】
さらに、耐力パネル１１は間仕切り壁１２にも外部回り壁１３にも使用できる、いわばマルチパネルであるので、間仕切り用、外壁用と、別のパネルを作製する必要がない。このため、建築物に必要とされる部品の種類を抑えることができ、コストの低減等を図ることができる効果も有する。
【００５４】
この発明の構成と、上記一形態の構成との対応において、  
この発明の横架材は、上記一形態における大引２２、梁２４、土台３４、胴差し３６に対応するも、  
この発明は、上記一形態の構成のみに限定されるものではなく、その他様々な形態で実施し得る。
【図面の簡単な説明】
【００５５】
【図１】耐力パネルの斜視図。
【図２】耐力パネルの分解斜視図。
【図３】間仕切り壁部分の断面図。
【図４】間仕切り壁部分の断面図。
【図５】外部回り壁部分の断面図。
【図６】耐力パネルの横断面図。
【図７】耐力パネルの横断面図。
【図８】耐力パネルの横断面図。
【図９】従来技術の構造説明図。
【符号の説明】
【００５６】
１１…耐力パネル
１２…間仕切り壁
１３…外部回り壁
１４…枠体
１４ｃ，１４ｄ…当接面
１５，１６…縦支持材
１７…横支持材
１８…芯材
１９…下地材
２２…大引
２４…梁
３４…土台
３５…布基礎
３６…胴差し
【図１】
2005299133.tif 000003
【図２】
2005299133.tif 000004
【図３】
2005299133.tif 000005
【図４】
2005299133.tif 000006
【図５】
2005299133.tif 000007
【図６】
2005299133.tif 000008
【図７】
2005299133.tif 000009
【図８】
2005299133.tif 000010
【図９】
2005299133.tif 000011